(57)【特許請求の範囲】
【請求項１】
ユーザの月経期間内に前記ユーザの身体に装着されるウェアラブルデバイスであって、
センシングを行うセンサと、
前記センサによるセンシング結果に関するセンシング情報を管理装置へ送信する手段と、
前記ウェアラブルデバイスの使用終了後に、当該ウェアラブルデバイスの消毒状態を監視する手段と、
前記ウェアラブルデバイスの消毒状態に応じて、前記ウェアラブルデバイスの使用サイクルを制御する手段と、
を具備するウェアラブルデバイス。
【請求項２】
前記制御する手段は、少なくとも前記ウェアラブルデバイスの消毒が検出されるまで、前記センシング情報の前記管理装置への送信を抑止する、
請求項１の記載のウェアラブルデバイス。
【請求項３】
前記制御する手段は、前記センシング情報の送信が許可されるまで、前記センシング情報の前記管理装置への送信を抑止し、
前記制御する手段は、前記ウェアラブルデバイスの消毒が検出されたことを前記管理装置に通知し、
前記管理装置は、前記ウェアラブルデバイスの消毒が検出されたことを通知されると、前記センシング情報の送信を許可する、
請求項２に記載のウェアラブルデバイス。
【請求項４】
前記制御する手段は、前記ウェアラブルデバイスの使用終了から少なくとも前記ウェアラブルデバイスの消毒が検出されるまで、前記センサによる新たなセンシングの実行を抑止する、
請求項１に記載のウェアラブルデバイス。
【請求項５】
前記制御する手段は、センシングの実行が許可されるまで、前記センサによる新たなセンシングの実行を抑止し、
前記制御する手段は、前記ウェアラブルデバイスの消毒が検出されたことを前記管理装置に通知し、
前記管理装置は、前記ウェアラブルデバイスの消毒が検出されたことを通知されると、前記センサによるセンシングを許可する、
請求項４に記載のウェアラブルデバイス。
【請求項６】
前記消毒状態を監視する手段は、前記ウェアラブルデバイスを消毒する消毒装置から消毒終了信号を受信したことに応じて、当該ウェアラブルデバイスが消毒されたことを検出する、
請求項１乃至請求項５のいずれかに記載のウェアラブルデバイス。
【請求項７】
前記ウェアラブルデバイスに関する温度情報を取得する手段をさらに具備し、
前記消毒状態を監視する手段は、前記温度情報について所定の条件が成立したことに応じて、前記ウェアラブルデバイスが消毒されたことを検出する、
請求項１乃至請求項５のいずれかに記載のウェアラブルデバイス。
【請求項８】
前記ユーザの指示を受け付ける手段をさらに具備し、
前記消毒状態を監視する手段は、前記ユーザから所定の指示を受け付けたことに応じて、当該ウェアラブルデバイスが消毒されたことを検出する、
請求項１乃至請求項５のいずれかに記載のウェアラブルデバイス。
【請求項９】
前記ユーザの体内に挿入された状態で前記ユーザの経血を収集可能な容器をさらに具備する、
請求項１乃至請求項８のいずれかに記載のウェアラブルデバイス。
【請求項１０】
ユーザの月経期間内に前記ユーザの身体に装着されていたウェアラブルデバイスを消毒する手段と、
前記ウェアラブルデバイスに搭載されたセンサによるセンシング結果に関するセンシング情報を取得する手段と、
前記ウェアラブルデバイスが消毒されたことに応じて、前記センシング情報を管理装置へ送信する手段と
を具備する、消毒装置。
【請求項１１】
ユーザの月経期間内に前記ユーザの身体に装着されていたウェアラブルデバイスを消毒する手段と、
前記ウェアラブルデバイスの消毒終了後に、消毒終了信号を外部装置へ送信する手段と
を具備する、消毒装置。
【請求項１２】
前記ウェアラブルデバイスを識別する手段をさらに具備し、
前記送信する手段は、前記ウェアラブルデバイスを識別する情報を含む消毒終了信号を当該ウェアラブルデバイスに関連付けられる管理装置へ送信する、
請求項１１に記載の消毒装置。
【請求項１３】
コンピュータを、
ユーザの月経期間内に前記ユーザの身体に装着されるウェアラブルデバイスに搭載されたセンサによるセンシング結果に関するセンシング情報を取得する手段、
前記センシング情報を参照して、前記月経期間における前記ユーザの体調に関する情報を出力する手段、
前記ウェアラブルデバイスの消毒状況情報を取得する手段、
前記消毒状況情報を参照して、前記ウェアラブルデバイスの状態に関する情報を出力する手段、
として機能させるプログラム。
【請求項１４】
前記コンピュータを、
前記消毒状況情報を参照して、前記ウェアラブルデバイスの最新の消毒日時を特定する手段、
前記最新の消毒日時が所定の条件を満たすか否かを判定する手段、
前記最新の消毒日時が所定の条件を満たすと判定されたことに応じて、通知を行う手段、
としてさらに機能させる、請求項１３に記載のプログラム。
【請求項１５】
前記判定する手段は、前記月経期間における基準日時から前記最新の消毒日時までの経過時間が閾値以上であるか否かを判定する、
請求項１４に記載のプログラム。
【請求項１６】
前記通知を行う手段は、前記最新の消毒日時が所定の条件を満たすと判定されたことに応じて、前記ウェアラブルデバイスの消毒を促す通知を行う
請求項１４または請求項１５に記載のプログラム。
【請求項１７】
前記コンピュータを、
前記消毒状況情報、または前記ウェアラブルデバイスの使用状況情報を参照して、所定の新調案内条件が成立するか否かを判定する手段、
前記新調案内条件が成立すると判定されたことに応じて、通知を行う手段、
としてさらに機能させる、請求項１３乃至請求項１６のいずれかに記載のプログラム。
【発明の詳細な説明】
【技術分野】
【０００１】
本開示は、ウェアラブルデバイス、プログラム、および消毒装置に関する。
【背景技術】
【０００２】
従来、女性に特有の健康問題を解決するために様々な取り組みがなされてきた。
特許文献１には、女性の月経周期、排卵、月経前症候群、及び妊娠に関連した種類のホルモンを検出する技術が記載されている。具体的には、特許文献１には、吸収性物品が診断パネルを備えること、および診断パネルが複数のセンサ（バイオセンサ）の組み合わせを備えることが記載されている。
【先行技術文献】
【特許文献】
【０００３】
【特許文献１】特表2003-517584号公報
【発明の概要】
【発明が解決しようとする課題】
【０００４】
経済的および環境的観点からすると、センサは使い捨てではなく再使用可能であることが好ましい。センサは、使用時にユーザの体液に曝される。故に、センサを再使用するためには、使用後に適切なケアを行って衛生状態を確保することが必要である。ケアが十分でなかったとすると、前回使用時に付着した細菌またはウイルスが増殖した状態でセンサが再使用され、ユーザの健康を損なったり、測定または検査結果が誤ったりするおそれがある。
【０００５】
特許文献１には、シグナルの視覚的評価または読取りを可能にする目的で、センサをきれいにするための拭取り手段を吸収性物品に備え付けることが記載されている。しかしながら、単に拭取り手段を提供するだけでは、センサに対して衛生状態を確保するのに十分なケアが実施されることを担保できない。
【０００６】
本開示の目的は、センサが不衛生な状態で使用されるのを防止することである。
【課題を解決するための手段】
【０００７】
本開示の一態様によれば、ウェアラブルデバイスは、ユーザの月経期間内にユーザの身体に装着される。ウェアラブルデバイスは、センシングを行うセンサと、センサによるセンシング結果に関するセンシング情報を管理装置へ送信する手段と、ウェアラブルデバイスの使用終了後に、当該ウェアラブルデバイスの消毒状態を監視する手段と、ウェアラブルデバイスの消毒状態に応じて、ウェアラブルデバイスの使用サイクルを制御する手段とを備える。
【発明の効果】
【０００８】
本開示によれば、センサが不衛生な状態で使用されるのを防止できる。
【図面の簡単な説明】
【０００９】
【図１】本実施形態の情報処理システムの構成を示すブロック図である。
【図２】本実施形態のウェアラブルデバイスの構成を示すブロック図である。
【図３】本実施形態のクライアント装置の構成を示すブロック図である。
【図４】本実施形態のサーバの構成を示すブロック図である。
【図５】本実施形態の消毒装置の構成を示すブロック図である。
【図６】本実施形態の概要の説明図である。
【図７】本実施形態のデバイス情報データベースのデータ構造を示す図である。
【図８】本実施形態のデバイス所有者情報データベースのデータ構造を示す図である。
【図９】本実施形態のセンシングログデータベースのデータ構造を示す図である。
【図１０】本実施形態のセンシング関連処理のフローチャートである。
【図１１】本実施形態の消毒関連処理のフローチャートである。
【図１２】本実施形態の情報提示処理のフローチャートである。
【図１３】本実施形態の情報提示処理において表示される画面例を示す図である。
【図１４】本実施形態の情報提示処理において表示される画面例を示す図である。
【図１５】本実施形態の情報提示処理において表示される画面例を示す図である。
【図１６】本実施形態の消毒リマインダ処理のフローチャートである。
【図１７】本実施形態の消毒リマインダ処理において表示される画面例を示す図である。
【図１８】変形例１の概要の説明図である。
【図１９】変形例１のセンシング関連処理のフローチャートである。
【発明を実施するための形態】
【００１０】
以下、本発明の一実施形態について、図面に基づいて詳細に説明する。なお、実施形態を説明するための図面において、同一の構成要素には原則として同一の符号を付し、その繰り返しの説明は省略する。
【００１１】
（１）情報処理システムの構成
情報処理システムの構成について説明する。図１は、本実施形態の情報処理システムの構成を示すブロック図である。
【００１２】
図１に示すように、情報処理システム１は、ウェアラブルデバイス１０と、クライアント装置３０と、サーバ５０と、消毒装置７０とを備える。
【００１３】
ウェアラブルデバイス１０は、クライアント装置３０、および消毒装置７０と接続可能である。一例として、ウェアラブルデバイス１０は、Bluetooth（登録商標）技術を用いてクライアント装置３０、または消毒装置７０の少なくとも１つとワイヤレスに接続可能である。
クライアント装置３０及びサーバ５０は、ネットワーク（例えば、インターネット又はイントラネット）ＮＷを介して接続される。
消毒装置７０は、ウェアラブルデバイス１０と接続される。消毒装置７０は、ウェアラブルデバイス１０とワイヤレスに接続されてもよいし、ケーブル接続されてもよいし、コネクタにより直結されてもよい。
【００１４】
ウェアラブルデバイス１０は、ユーザの月経期間内に当該ユーザの身体に装着される。ここで、装着とは、体内への挿入、体表との接触、またはそれらの組み合わせを意味する。ウェアラブルデバイス１０は、ユーザの月経期間内に、同種、または異なる種別のセンサを備えた他のウェアラブルデバイスと併用されてもよい。
【００１５】
ウェアラブルデバイス１０は、センサによるセンシング結果に関するセンシング情報をクライアント装置３０（「管理装置」の一例）へ送信する。
【００１６】
クライアント装置３０は、サーバ５０にリクエストを送信する情報処理装置の一例である。クライアント装置３０は、例えば、スマートフォン、タブレット端末、又は、パーソナルコンピュータである。
【００１７】
サーバ５０は、クライアント装置３０から送信されたリクエストに応じたレスポンスをクライアント装置３０に提供する情報処理装置の一例である。サーバ５０は、例えば、ウェブサーバである。
【００１８】
消毒装置７０は、使用済みのウェアラブルデバイス１０を消毒する。これにより、ユーザは、使用したウェアラブルデバイス１０を良好な衛生状態で再使用することができる。
【００１９】
（１−１）ウェアラブルデバイスの構成
ウェアラブルデバイスの構成について説明する。図２は、本実施形態のウェアラブルデバイスの構成を示すブロック図である。
【００２０】
図２に示すように、ウェアラブルデバイス１０は、容器ＶＥと、記憶装置１１と、プロセッサ１２と、入出力インタフェース１３と、通信インタフェース１４とを備える。
【００２１】
容器ＶＥは、ユーザの体内に挿入された状態で当該ユーザの経血を収集可能に構成される。容器ＶＥは、例えば月経カップに相当する。容器ＶＥは、例えばシリコン製である。
ウェアラブルデバイス１０を他のウェアラブルデバイスと併用するユースケースでは、容器ＶＥの筐体には、ウェアラブルデバイス１０を他のウェアラブルデバイスと区別するための標識が付されてもよい。ここで、標識は、以下の少なくとも１つであってよい。
・色
・模様
・装飾
・凹凸（点字を含む）
・絵（文字を含む）
【００２２】
記憶装置１１は、プログラム及びデータを記憶するように構成される。記憶装置１１は、例えば、ＲＯＭ（Read Only Memory）、ＲＡＭ（Random Access Memory）、及び、ストレージ（例えば、フラッシュメモリ又はハードディスク）の組合せである。
【００２３】
プログラムは、例えば、以下のプログラムを含む。
・ＯＳ（Operating System）のプログラム
・情報処理を実行するアプリケーションのプログラム
【００２４】
データは、例えば、以下のデータを含む。
・情報処理において参照されるデータ及びデータベース
・情報処理を実行することによって得られるデータ（つまり、情報処理の実行結果）
【００２５】
プロセッサ１２は、記憶装置１１に記憶されたプログラムを起動してデータを処理することによって、ウェアラブルデバイス１０の機能を実現するように構成される。プロセッサ１２は、コンピュータの一例である。記憶装置１１により記憶されるプログラム及びデータは、ネットワークを介して提供されてもよいし、コンピュータにより読み取り可能な記録媒体に記録して提供されてもよい。なお、ウェアラブルデバイス１０の機能の少なくとも一部が、１又は複数の専用のハードウェアにより実現されていてもよい。
【００２６】
入出力インタフェース１３は、ウェアラブルデバイス１０に接続される入力デバイスから信号（例えばセンシング信号）を取得し、かつ、ウェアラブルデバイス１０に接続される出力デバイスに信号（例えば、画像信号、オーディオ信号、または制御信号）を出力するように構成される。
入力デバイスは、例えば、センサ１５である。
出力デバイスは、例えば、ディスプレイ、スピーカ、またはそれらの組み合わせであるが、ウェアラブルデバイス１０は出力デバイスに接続されなくてもよい。
【００２７】
通信インタフェース１４（「通信手段」の一例）は、ウェアラブルデバイス１０と外部装置（例えば、クライアント装置３０、および消毒装置７０）との間の通信を制御するように構成される。通信インタフェース１４は、例えばＢＬＥ（Bluetooth Low Energy）モジュールを含んでもよい。
【００２８】
センサ１５は、ウェアラブルデバイス１０がユーザに装着されている時に、所定のセンシングを行う。
具体的には、センサ１５は、検体検査、または検体検査とは異なる検査もしくは測定を行う。
【００２９】
検体検査は、例えば以下の少なくとも１つであってよい。
・性感染症の検査
・血液の成分（例えば、タンパク質、鉄分）検査
・女性の生殖器官（例えば、子宮、卵巣、または膣）に関する疾患の検査
・女性の生殖器官に由来する分泌物（例えば、おりもの、粘液）の成分（例えば、タンパク質）の検査
【００３０】
検体検査とは異なる検査または測定は、例えば以下の少なくとも１つであってよい。
・血液の量（重量、体積、またはそれらの組み合わせ）の測定
・血液の色の測定
・分泌物の粘性の測定
・分泌物の色の測定
・体温の測定
・においの測定
【００３１】
ウェアラブルデバイス１０は、１つに限らず複数のセンサ１５を備えていてもよい。一例として、ウェアラブルデバイス１０は、性感染症を検査するセンサ１５と、血液の量を測定するセンサ１５とを備えていてもよい。
【００３２】
（１−２）クライアント装置の構成
クライアント装置の構成について説明する。図３は、本実施形態のクライアント装置の構成を示すブロック図である。
【００３３】
図３に示すように、クライアント装置３０は、記憶装置３１と、プロセッサ３２と、入出力インタフェース３３と、通信インタフェース３４とを備える。クライアント装置３０は、ディスプレイ３５と接続される。
【００３４】
記憶装置３１は、プログラム及びデータを記憶するように構成される。記憶装置３１は、例えば、ＲＯＭ、ＲＡＭ、及び、ストレージの組合せである。
【００３５】
プログラムは、例えば、以下のプログラムを含む。
・ＯＳのプログラム
・情報処理を実行するアプリケーション（例えば、ウェブブラウザ）のプログラム
【００３６】
データは、例えば、以下のデータを含む。
・情報処理において参照されるデータ及びデータベース
・情報処理の実行結果
【００３７】
プロセッサ３２は、記憶装置３１に記憶されたプログラムを起動してデータを処理することによって、クライアント装置３０の機能を実現するように構成される。プロセッサ３２は、コンピュータの一例である。記憶装置３１により記憶されるプログラム及びデータは、ネットワークを介して提供されてもよいし、コンピュータにより読み取り可能な記録媒体に記録して提供されてもよい。なお、クライアント装置３０の機能の少なくとも一部が、１又は複数の専用のハードウェアにより実現されていてもよい。
【００３８】
入出力インタフェース３３は、クライアント装置３０に接続される入力デバイスから信号（例えば、ユーザの指示）を取得し、かつ、クライアント装置３０に接続される出力デバイスに信号（例えば、画像信号、またはオーディオ信号）を出力するように構成される。
入力デバイスは、例えば、キーボード、ポインティングデバイス、タッチパネル、又は、それらの組合せである。
出力デバイスは、例えば、ディスプレイ３５、およびスピーカである。
【００３９】
通信インタフェース３４は、クライアント装置３０と外部装置（例えば、ウェアラブルデバイス１０、およびサーバ５０）との間の通信を制御するように構成される。通信インタフェース３４は、ウェアラブルデバイス１０用の通信モジュール（例えば、ＢＬＥモジュール）と、サーバ５０用の通信モジュール（例えば、無線ＬＡＮ（Local Area Network）モジュール、または移動通信モジュール）とを含んでもよい。
【００４０】
ディスプレイ３５は、画像（静止画、または動画）を表示するように構成される。ディスプレイ３５は、例えば、液晶ディスプレイ、または有機ＥＬディスプレイである。
【００４１】
（１−３）サーバの構成
サーバの構成について説明する。図４は、本実施形態のサーバの構成を示すブロック図である。
【００４２】
図４に示すように、サーバ５０は、記憶装置５１と、プロセッサ５２と、入出力インタフェース５３と、通信インタフェース５４とを備える。
【００４３】
記憶装置５１は、プログラム及びデータを記憶するように構成される。記憶装置５１は、例えば、ＲＯＭ、ＲＡＭ、及び、ストレージの組合せである。
【００４４】
プログラムは、例えば、以下のプログラムを含む。
・ＯＳのプログラム
・情報処理を実行するアプリケーションのプログラム
【００４５】
データは、例えば、以下のデータを含む。
・情報処理において参照されるデータベース
・情報処理の実行結果
【００４６】
プロセッサ５２は、記憶装置５１に記憶されたプログラムを起動してデータを処理することによって、サーバ５０の機能を実現するように構成される。プロセッサ５２は、コンピュータの一例である。記憶装置５１により記憶されるプログラム及びデータは、ネットワークを介して提供されてもよいし、コンピュータにより読み取り可能な記録媒体に記録して提供されてもよい。なお、サーバ５０の機能の少なくとも一部が、１又は複数の専用のハードウェアにより実現されていてもよい。
【００４７】
入出力インタフェース５３は、サーバ５０に接続される入力デバイスから信号（例えば、ユーザの指示）を取得し、かつ、サーバ５０に接続される出力デバイスに信号（例えば、画像信号）を出力するように構成される。
入力デバイスは、例えば、キーボード、ポインティングデバイス、タッチパネル、又は、それらの組合せである。
出力デバイスは、例えば、ディスプレイである。
【００４８】
通信インタフェース５４は、サーバ５０と外部装置（例えばクライアント装置３０）との間の通信を制御するように構成される。
【００４９】
（１−４）消毒装置の構成
サーバの構成について説明する。図５は、本実施形態の消毒装置の構成を示すブロック図である。
【００５０】
図４に示すように、消毒装置７０は、記憶装置７１と、プロセッサ７２と、入出力インタフェース７３と、通信インタフェース７４とを備える。消毒装置７０は、消毒機構７５と接続される。
【００５１】
記憶装置７１は、プログラム及びデータを記憶するように構成される。記憶装置７１は、例えば、ＲＯＭ、ＲＡＭ、及び、ストレージの組合せである。
【００５２】
プログラムは、例えば、以下のプログラムを含む。
・ＯＳのプログラム
・情報処理を実行するアプリケーションのプログラム
【００５３】
データは、例えば、以下のデータを含む。
・情報処理において参照されるデータベース
・情報処理の実行結果
【００５４】
プロセッサ７２は、記憶装置７１に記憶されたプログラムを起動してデータを処理することによって、消毒装置７０の機能を実現するように構成される。プロセッサ７２は、コンピュータの一例である。記憶装置７１により記憶されるプログラム及びデータは、ネットワークを介して提供されてもよいし、コンピュータにより読み取り可能な記録媒体に記録して提供されてもよい。なお、消毒装置７０の機能の少なくとも一部が、１又は複数の専用のハードウェアにより実現されていてもよい。
【００５５】
入出力インタフェース７３は、消毒装置７０に接続される入力デバイスから信号（例えば、ユーザの指示）を取得し、かつ、消毒装置７０に接続される出力デバイスに信号（例えば、制御信号、または画像信号）を出力するように構成される。
入力デバイスは、例えば、タッチパネル、物理ボタン、又は、それらの組合せである。
出力デバイスは、例えば、消毒機構７５、ディスプレイ、スピーカ、又は、それらの組合せである。
【００５６】
通信インタフェース７４は、消毒装置７０と外部装置（例えばウェアラブルデバイス１０）との間の通信を制御するように構成される。
【００５７】
消毒機構７５は、ウェアラブルデバイス１０に対する物理的消毒、または化学的消毒を実行する。物理的消毒は、例えば熱、または波動（電磁波）を利用した消毒を意味する。化学的消毒は、消毒剤（例えば、次亜塩素酸ナトリウム、エタノールなどの消毒成分を含有する液体）を利用した消毒を意味する。
消毒機構７５は、例えば以下の少なくとも１つの動作を行うように構成される。
・水、水蒸気、またはウェアラブルデバイス１０を加熱する。
・ウェアラブルデバイス１０を、加熱した水、もしくは水蒸気、または消毒剤に所定時間に亘って曝す。
・水、水蒸気、または消毒剤の流れを制御する。
・ウェアラブルデバイス１０に紫外線を照射する。
【００５８】
（２）実施形態の概要
本実施形態の概要について説明する。図６は、本実施形態の概要の説明図である。
【００５９】
ウェアラブルデバイス１０は、繰り返し使用することができる。具体的には、図６に示すように、フェーズＰＨ１１〜フェーズＰＨ１５を含む使用サイクルが繰り返される。
【００６０】
まず、ウェアラブルデバイス１０は、ユーザの身体に装着される（フェーズＰＨ１１）。
フェーズＰＨ１１の後に、ウェアラブルデバイス１０に搭載されたセンサ１５は、ｎ回に亘ってセンシングを行う（ＰＨ１２−１，・・・，ＰＨ１２−ｎ）。ｎは、１であってもよいし、２以上であってもよい。
フェーズＰＨ１２−ｎの後に、ウェアラブルデバイス１０は、ユーザの身体から取り外される（フェーズＰＨ１３）。
フェーズＰＨ１３の後に、ウェアラブルデバイス１０は消毒され、ウェアラブルデバイス１０は消毒されたことを検出する（フェーズＰＨ１４）。
フェーズＰＨ１４の後に、ウェアラブルデバイス１０はフェーズＰＨ１２−１，・・・，フェーズＰＨ１２−ｎにおけるセンシング結果に関するセンシング情報をクライアント装置３０へ送信する（フェーズＰＨ１５）。
【００６１】
フェーズＰＨ１５の実行は、フェーズＰＨ１４の実行状態に応じて制約される。具体的には、ウェアラブルデバイス１０の消毒が検出されるまで、クライアント装置３０へのセンシング情報の送信（つまり、フェーズＰＨ１５の実行）が抑止される。
【００６２】
このように、ウェアラブルデバイス１０によれば、ユーザは当該ウェアラブルデバイス１０の使用後に消毒を行わない限り、検査または測定結果を確認することができない。故に、ユーザは、ウェアラブルデバイス１０を使用後に消毒するよう促されるので、使用したウェアラブルデバイス１０を良好な衛生状態で再使用できる。
【００６３】
（３）データベース
本実施形態のデータベースについて説明する。
【００６４】
（３−１）デバイス情報データベース
本実施形態のデバイス情報データベースについて説明する。図７は、本実施形態のデバイス情報データベースのデータ構造を示す図である。デバイス情報データベースは、記憶装置３１に記憶される。
【００６５】
デバイス情報データベースには、デバイス情報が格納される。デバイス情報は、クライアント装置３０のユーザが所有する（つまり、クライアント装置３０に関連付けられた）ウェアラブルデバイス１０に関する情報である。
図７に示すように、デバイス情報データベースは、「デバイスＩＤ」フィールドと、「センシング日時」フィールドと、「消毒日時」フィールドとを含む。各フィールドは、互いに関連付けられている。
【００６６】
「デバイスＩＤ」フィールドには、デバイスＩＤが格納される。デバイスＩＤは、デバイス情報に対応するウェアラブルデバイス１０を識別する情報である。
【００６７】
「使用日時」フィールドには、使用日時情報が格納される。使用日時情報は、例えば、ウェアラブルデバイス１０の使用日時（例えば、最新の使用終了日時）に関する情報である。使用日時情報は、以下の少なくとも１つに基づいて決定されてよい。
・センサ１５が検査または測定を行った日時に関する情報
・プロセッサ１２が検査または測定結果を取得した日時に関する情報
・プロセッサ１２がウェアラブルデバイス１０の使用の終了を検出した日時に関する情報
使用日時情報は、デバイスＩＤによって特定されるウェアラブルデバイス１０の使用状況を特定可能な情報（使用状況情報）である。
【００６８】
「消毒日時」フィールドには、消毒日時情報が格納される。消毒日時情報は、例えば、ウェアラブルデバイス１０の消毒日時（例えば、最新の消毒日時）に関する情報である。消毒日時情報は、以下の少なくとも１つに基づいて決定されてよい。
・プロセッサ１２がウェアラブルデバイス１０の消毒を検出した日時に関する情報
・後述する消毒終了信号に含まれる日時に関する情報
消毒日時情報は、デバイスＩＤによって特定されるウェアラブルデバイス１０の消毒状況を特定可能な情報（以下、「消毒状況情報」という）である。消毒日時情報は、ウェアラブルデバイス１０、または消毒装置７０から収集可能である。
【００６９】
（３−２）デバイス所有者情報データベース
本実施形態のデバイス所有者情報データベースについて説明する。図８は、本実施形態のデバイス所有者情報データベースのデータ構造を示す図である。デバイス所有者情報データベースは、記憶装置５１に記憶される。
【００７０】
デバイス所有者情報データベースには、デバイス所有者情報が格納される。デバイス所有者情報は、情報処理システム１において運用されているウェアラブルデバイス１０の所有者に関する情報である。
図８に示すように、デバイス所有者情報データベースは、「デバイスＩＤ」フィールドと、「ユーザＩＤ」フィールドとを含む。各フィールドは、互いに関連付けられている。
【００７１】
「デバイスＩＤ」フィールドには、デバイスＩＤが格納される。デバイスＩＤは、デバイス所有者情報に対応するウェアラブルデバイス１０を識別する情報である。図８のデバイスＩＤは、図７のデバイスＩＤと同一、または１対１対応の関係にある。
【００７２】
「ユーザＩＤ」フィールドには、ユーザＩＤが格納される。ユーザＩＤは、デバイスＩＤによって特定されるウェアラブルデバイス１０の所有者であるユーザを識別する情報である。
【００７３】
（３−３）センシングログデータベース
本実施形態のセンシングログデータベースについて説明する。図９は、本実施形態のセンシングログデータベースのデータ構造を示す図である。センシングログデータベースは、記憶装置５１に記憶される。
【００７４】
センシングログ情報は、情報処理システム１において運用されているウェアラブルデバイス１０に搭載された各センサ１５によるセンシング（つまり、検査または測定）のログに関する情報である。
図９に示すように、センシングログデータベースは、「センシングログＩＤ」フィールドと、「デバイスＩＤ」フィールドと、「ユーザＩＤ」フィールドと、「項目」フィールドと、「結果」フィールドと、「日時」フィールドとを含む。各フィールドは、互いに関連付けられている。
【００７５】
「センシングログＩＤ」フィールドには、センシングログＩＤが格納される。センシングログＩＤは、センシングログ情報を識別する情報である。
【００７６】
「デバイスＩＤ」フィールドには、デバイスＩＤが格納される。デバイスＩＤは、センシングログ情報に対応する検査または測定を行ったセンサ１５を備えるウェアラブルデバイス１０を識別する情報である。図９のデバイスＩＤは、図８のデバイスＩＤと同一、または１対１対応の関係にある。
【００７７】
「ユーザＩＤ」フィールドには、ユーザＩＤが格納される。ユーザＩＤは、センシングログ情報に対応する検査または測定の被験者に相当するユーザを識別する情報である。図９のユーザＩＤは、図８のユーザＩＤと同一、または１対１対応の関係にある。
【００７８】
「項目」フィールドには、項目情報が格納される。項目情報は、センシングログ情報に対応する検査または測定の項目に関する情報である。項目情報は、ウェアラブルデバイス１０によって送信されるセンシング情報に含められる。
【００７９】
「結果」フィールドには、結果情報が格納される。結果情報は、センシングログ情報に対応する検査または測定の結果に関する情報である。結果情報は、ウェアラブルデバイス１０によって送信されるセンシング情報に含められる。
【００８０】
「日時」フィールドには、日時情報が格納される。日時情報は、センシングログ情報に対応するセンシング日時に関する情報である。日時情報は、ウェアラブルデバイス１０によって送信されるセンシング情報に含められる。
【００８１】
（４）情報処理
本実施形態の情報処理について説明する。
【００８２】
（４−１）センシング関連処理
本実施形態のセンシング関連処理について説明する。図１０は、本実施形態のセンシング関連処理のフローチャートである。
【００８３】
センシング関連処理は、ウェアラブルデバイス１０、および管理装置としてのクライアント装置３０によって実行される。センシング関連処理は、以下の開始条件のいずれかの成立に応じて開始する。
・ウェアラブルデバイス１０が所定の状態（例えば、電源投入、またはユーザの身体に装着）になった。
・ユーザがセンシング関連処理を呼び出すための操作を行った。
・他の処理によってセンシング関連処理が呼び出された。
・所定の日時が到来した。
【００８４】
図１０に示すように、ウェアラブルデバイス１０は、センシング（Ｓ１１０）を実行する。
具体的には、センサ１５は、所定のセンシング条件に従ってセンシングを行う。センサ１５は、センシング結果をプロセッサ１２へ送信する。
【００８５】
ステップＳ１１０の後に、ウェアラブルデバイス１０は、使用終了判定（Ｓ１１１）を実行する。
具体的には、プロセッサ１２は、所定の使用終了条件が成立するか否かにより、ウェアラブルデバイス１０の使用が終了したか否かを判定する。使用終了条件は、例えば、以下の少なくとも１つを含むことができる。
・ウェアラブルデバイス１０が所定の状態（例えば、電源オフ、またはユーザの身体から取り外された）になった。
・ユーザがウェアラブルデバイス１０の使用を終了するための操作を行った。
・所定の日時が到来した。
【００８６】
ステップＳ１１１においてウェアラブルデバイス１０の使用が終了していないと判定した場合に、ウェアラブルデバイス１０は、センシング（Ｓ１１０）を再度実行する。
【００８７】
ステップＳ１１１においてウェアラブルデバイス１０の使用が終了したと判定した場合に、ウェアラブルデバイス１０は、消毒状態の監視（Ｓ１１２）を実行する。
具体的には、プロセッサ１２は、ウェアラブルデバイス１０の消毒状態の検出を試みる。一例として、プロセッサ１２は、後述する消毒終了信号の受信を待ち受ける。
【００８８】
ステップＳ１１２の後に、ウェアラブルデバイス１０は、消毒判定（Ｓ１１３）を実行する。
具体的には、プロセッサ１２は、ステップＳ１１２の監視結果に応じて、ウェアラブルデバイス１０が消毒されたか否かを判定する。一例として、プロセッサ１２は、消毒終了信号の受信に応じて、ウェアラブルデバイス１０が消毒されたことを検出する。つまり、プロセッサ１２は、消毒終了信号を受信するまでウェアラブルデバイス１０は消毒されていないと判定し、消毒終了信号の受信後にウェアラブルデバイス１０は消毒されたと判定する。
【００８９】
ステップＳ１１３において、ウェアラブルデバイス１０が消毒されたと判定した場合に、ウェアラブルデバイス１０は、センシング情報の送信（Ｓ１１４）を実行する。
具体的には、プロセッサ１２は、ステップＳ１１０において取得したセンシング結果に基づいてセンシング情報を生成する。センシング情報は、ステップＳ１１０の実行の度に生成され、記憶装置１１に保存されていてもよい。プロセッサ１２は、通信インタフェース１４に、センシング情報をクライアント装置３０へ送信させる。プロセッサ１２は、ステップＳ１１４の完了を以てセンシング関連処理を終了する。
【００９０】
センシング情報は、以下の少なくとも１つを含むことができる。
・センシング結果の項目を特定可能な情報
・センシング結果の内容（つまり測定結果、または検査結果）を特定可能な情報
・センシング日時（例えば、センサ１５がセンシングを行った日時、またはプロセッサ１２がセンシング結果を取得した日時）を特定可能な情報
【００９１】
ウェアラブルデバイス１０は、センシング情報とともに、またはセンシング情報と独立して、当該ウェアラブルデバイス１０の消毒状況情報（例えば、消毒日時情報）をクライアント装置３０へ送信してもよい。
【００９２】
ステップＳ１１３において、ウェアラブルデバイス１０が消毒されていないと判定した場合に、ウェアラブルデバイス１０は消毒状態の監視（Ｓ１１２）を再度実行する。
ステップＳ１１２〜ステップＳ１１３のループにより、ウェアラブルデバイス１０の消毒が検出されるまで、センシング情報のクライアント装置３０への送信（つまり、ステップＳ１１４の実行）を抑止することができる。
【００９３】
ステップＳ１１４の後に、クライアント装置３０は、センシング情報の取得（Ｓ３１１）を実行する。
具体的には、プロセッサ３２は、ステップＳ１１４において送信されたセンシング情報を、通信インタフェース３４を介して取得する。
【００９４】
ステップＳ３１１の後に、クライアント装置３０は、センシング情報の保存（Ｓ３１２）を実行する。
具体的には、プロセッサ３２は、ステップＳ３１１において取得したセンシング情報を記憶装置３１に保存する。オプションとして、プロセッサ３２は、通信インタフェース３４に、センシング情報をサーバ５０へ送信させてもよい。この場合に、サーバ５０は、取得したセンシング情報に基づいてセンシングログデータベース（図９）を更新する。
【００９５】
（４−２）消毒関連処理
本実施形態の消毒関連処理について説明する。図１１は、本実施形態の消毒関連処理のフローチャートである。
【００９６】
消毒関連処理は、消毒装置７０によって実行される。消毒関連処理は、以下の開始条件のいずれかの成立に応じて開始する。
・消毒装置７０が所定の状態（例えば、電源投入、消毒対象となるウェアラブルデバイス１０（以下、「消毒対象デバイス」という）を検知）になった。
・ユーザが消毒関連処理を呼び出すための操作（例えば、消毒装置７０に備え付けられたボタンの押下）を行った。
・他の処理によって消毒関連処理が呼び出された。
・所定の日時が到来した。
【００９７】
図１１に示すように、消毒装置７０は、ウェアラブルデバイスの識別（Ｓ７１０）を実行する。
具体的には、プロセッサ７２は、消毒対象デバイスを識別する。プロセッサ７２は、以下の少なくとも１つにより消毒対象デバイスを識別してもよい。
・外部装置（例えば、消毒対象デバイス、またはクライアント装置３０）と通信を行い、消毒対象デバイスを特定可能な情報（例えばデバイスＩＤ）を通信インタフェース７４を介して取得する。
・消毒対象デバイスの画像認識（例えば、消毒対象デバイスの筐体に付された標識（例えばＱＲコード（登録商標））を読み取る）。
【００９８】
ステップＳ７１０の後に、消毒装置７０は、消毒（Ｓ７１１）を実行する。
具体的には、プロセッサ７２は、消毒機構７５に、消毒対象デバイスを消毒させる。一例として、プロセッサ７２は、制御信号を消毒機構７５へ送信する。
【００９９】
ステップＳ７１１の後に、消毒装置７０は、消毒終了信号の送信（Ｓ７１２）を実行する。
具体的には、プロセッサ７２は、通信インタフェース７４に、消毒終了信号を、消毒対象デバイスへ送信させる。プロセッサ７２は、ステップＳ７１２の完了を以て消毒関連処理を終了する。消毒終了信号は、例えば、以下の少なくとも１つを含んでもよい。
・消毒対象デバイスを特定可能な情報
・消毒の終了日時に関する情報
・消毒内容（例えば、実施した消毒の種類、条件（一例として、温度および持続時間））に関する情報
・消毒剤の残量または残回数に関する情報
・消毒に用いる液体（例えば、水、または消毒剤）を貯留するタンクに蓄えられている液体の量に関する情報
【０１００】
（４−３）情報提示処理
本実施形態の情報提示処理について説明する。図１２は、本実施形態の情報提示処理のフローチャートである。図１３は、本実施形態の情報提示処理において表示される画面例を示す図である。図１４は、本実施形態の情報提示処理において表示される画面例を示す図である。図１５は、本実施形態の情報提示処理において表示される画面例を示す図である。
【０１０１】
情報提示処理は、クライアント装置３０によって実行される。情報提示処理は、以下の開始条件のいずれかの成立に応じて開始する。
・クライアント装置３０が所定の状態（例えば、所定のアプリを起動）になった。
・ユーザが情報提示処理を呼び出すための操作を行った。
・他の処理によって情報提示処理が呼び出された。
・所定の日時が到来した。
【０１０２】
図１２に示すように、クライアント装置３０は、画面表示（Ｓ３２０）を実行する。
具体的には、プロセッサ３２は、画面Ｐ１１（図１３）を表示する。
【０１０３】
図１３に示すように、画面Ｐ１１は、操作オブジェクトＢ１１ａ〜Ｂ１１ｆを含む。
操作オブジェクトＢ１１ａは、測定／検査結果を確認するためのユーザ指示を受け付ける。
操作オブジェクトＢ１１ｂは、測定／検査の設定を行うするためのユーザ指示を受け付ける。
操作オブジェクトＢ１１ｃは、クライアント装置３０のユーザが所有するウェアラブルデバイス１０のステータスを確認するためのユーザ指示を受け付ける。
操作オブジェクトＢ１１ｄは、ウェアラブルデバイス１０の購入を進めるためのユーザ指示を受け付ける。
操作オブジェクトＢ１１ｅは、情報通信を用いた遠隔診療を開始するためのユーザ指示を受け付ける。
操作オブジェクトＢ１１ｆは、診察を予約するためのユーザ指示を受け付ける。
【０１０４】
ステップＳ３２０の後に、クライアント装置３０は、ユーザ指示の取得（Ｓ３２１）を実行する。
具体的には、プロセッサ３２は、ステップＳ３２０において表示した画面に対するユーザ指示を受け付ける。一例として、プロセッサ３２は、図１３の操作オブジェクトＢ１１ａ〜Ｂ１１ｆのいずれかの選択を受け付ける。
【０１０５】
ステップＳ３２１の後に、クライアント装置３０は、画面表示（Ｓ３２２）を実行する。
具体的には、プロセッサ３２は、ステップＳ３２１において取得したユーザ指示に応じて画面を生成し、当該画面をディスプレイ３５に表示させる。
【０１０６】
画面表示（Ｓ３２２）の第１例では、プロセッサ３２は、操作オブジェクトＢ１１ａを選択するユーザ指示に応じて画面Ｐ１２（図１４）を生成し、当該画面Ｐ１２をディスプレイ３５に表示させる。
図１４に示すように、画面Ｐ１２は、表示オブジェクトＡ１２を含む。
表示オブジェクトＡ１２は、クライアント装置３０のユーザの月経期間内に亘る当該ユーザに対する検査または測定結果に関する情報（つまり、ユーザの体調に関する情報）を表示する。
【０１０７】
画面表示（Ｓ３２２）の第２例では、プロセッサ３２は、操作オブジェクトＢ１１ｃを選択するユーザ指示に応じて画面Ｐ１３（図１５）を生成し、当該画面Ｐ１３をディスプレイ３５に表示させる。
図１５に示すように、画面Ｐ１３は、表示オブジェクトＡ１３ａ〜Ａ１３ｃを含む。
表示オブジェクトＡ１３ａは、クライアント装置３０のユーザが現在の月経期間内で未使用であるウェアラブルデバイス１０に関する情報（つまり、月経期間内におけるウェアラブルデバイスの使用状況に関する情報）を表示する。一例として、表示オブジェクトＡ１３ａは、ウェアラブルデバイス１０の外観に関する情報（画像）と、当該ウェアラブルデバイス１０の検査または測定可能な項目に関する情報とを表示する。
表示オブジェクトＡ１３ｂは、クライアント装置３０のユーザが現在の月経期間内で既に使用していて、かつ未消毒のウェアラブルデバイス１０に関する情報（つまり、月経期間内におけるウェアラブルデバイスの使用状況および消毒状況に関する情報）を表示する。一例として、表示オブジェクトＡ１３ｂは、ウェアラブルデバイス１０の外観に関する情報（画像）と、当該ウェアラブルデバイス１０の検査または測定可能な項目に関する情報とを表示する。
表示オブジェクトＡ１３ｃは、クライアント装置３０のユーザが現在の月経期間内で既に使用していて、かつ消毒済のウェアラブルデバイス１０に関する情報（つまり、月経期間内におけるウェアラブルデバイスの使用状況および消毒状況に関する情報）を表示する。一例として、表示オブジェクトＡ１３ｃは、ウェアラブルデバイス１０の外観に関する情報（画像）と、当該ウェアラブルデバイス１０の検査または測定可能な項目に関する情報とを表示する。
【０１０８】
ステップＳ３２２の後に、クライアント装置３０は、ユーザ指示の取得（Ｓ３２１）を再度実行してもよい。
【０１０９】
情報提示処理は、以下の終了条件のいずれかの成立に応じて終了する。
・クライアント装置３０が所定の状態（例えば、所定のアプリを終了）になった。
・ユーザが情報提示処理を終了するための操作を行った。
・所定の日時が到来した。
【０１１０】
（４−４）消毒リマインダ処理
本実施形態の消毒リマインダ処理について説明する。図１６は、本実施形態の消毒リマインダ処理のフローチャートである。図１７は、本実施形態の消毒リマインダ処理において表示される画面例を示す図である。
【０１１１】
消毒リマインダ処理は、クライアント装置３０によって実行される。消毒リマインダ処理は、以下の開始条件のいずれかの成立に応じて開始する。
・所定の日時（例えば、月経期間の開始日から所定日数経過した日）が到来した。
・クライアント装置３０が所定の状態になった。
・ユーザが消毒リマインダ処理を呼び出すための操作を行った。
・他の処理によって消毒リマインダ処理が呼び出された。
【０１１２】
図１６に示すように、クライアント装置３０は、日時情報の取得（Ｓ３３０）を実行する。
具体的には、プロセッサ３２は、デバイス情報データベース（図７）にアクセスし、消毒リマインダが有効化されているウェアラブルデバイス１０（以下、「リマインダ有効デバイス」という）を特定し、当該リマインダ有効デバイスの消毒日時情報および使用日時情報を取得する。
【０１１３】
リマインダ有効デバイスは、クライアント装置３０のユーザが所有するウェアラブルデバイス１０の全てであってもよいし、一部（例えば、進行中、または最近の月経期間内に使用されたウェアラブルデバイス１０）であってもよい。リマインダ有効デバイスは、クライアント装置３０のユーザにより指定されてもよいし、アルゴリズムにより決定されてもよい。
【０１１４】
ステップＳ３３０の後に、クライアント装置３０は、デバイス消毒状態の判定（Ｓ３３１）を実行する。
具体的には、プロセッサ３２は、ステップＳ１０２において取得した日時情報を参照し、リマインダ有効デバイスが消毒済であるか未消毒であるかを判定する。一例として、プロセッサ３２は、リマインダ有効デバイスの最新の消毒日時が所定のリマインド実施条件を満たすか否かを判定する。
リマインド実施条件は、例えば、月経期間における基準日時から最新の消毒日時までの経過時間が閾値以上であること、であってよい。基準日時は、例えば、月経期間の開始から所定時間後であってもよいし、リマインダ有効デバイスの最新の使用日時であってもよい。閾値は、非負の値である。ここで、リマインダ有効デバイスがこれまで一度も使用されていない場合（つまり、使用日時情報および消毒日時情報のいずれも登録されていない場合）に、プロセッサ３２は、当該リマインダ有効デバイスを消毒済とみなす。
【０１１５】
ステップＳ３３１においてリマインダ有効デバイスが未消毒であると判定した場合に、クライアント装置３０は、通知（Ｓ３３２）を実行する。
具体的には、プロセッサ３２は、画面Ｐ１４（図１７）を生成し、当該画面Ｐ１４をディスプレイ３５に表示させる。
図１７に示すように、画面Ｐ１４は、表示オブジェクトＡ１４ａと、操作オブジェクトＢ１４ａ〜Ｂ１４ｂとを含む。
表示オブジェクトＡ１４ａは、未消毒と判定されたリマインダ有効デバイスに関する情報を表示する。一例として、表示オブジェクトＡ１４ａは、未消毒と判定されたリマインダ有効デバイスの消毒を促す情報（メッセージ）と、リマインダ有効デバイスの外観に関する情報（画像）とを表示する。
操作オブジェクトＢ１４ａは、消毒リマインダの設定を編集するためのユーザ指示を受け付ける。
操作オブジェクトＢ１４ｂは、リマインダ有効デバイスの消毒に適した消毒剤、または消毒装置の購入を進めるためのユーザ指示を受け付ける。
【０１１６】
ステップＳ３３１においてリマインダ有効デバイスが消毒済であると判定した場合、またはステップＳ３３２の後に、クライアント装置３０は、消毒リマインダ処理を終了する。
【０１１７】
（５）小括
以上説明したように、ウェアラブルデバイス１０は、センサ１５によるセンシング結果に関するセンシング情報を管理装置（例えばクライアント装置３０）へ送信する。ウェアラブルデバイス１０は、当該ウェアラブルデバイス１０の使用終了後に当該ウェアラブルデバイス１０の消毒状態を監視する。ウェアラブルデバイス１０は、当該ウェアラブルデバイス１０の消毒状態に応じて当該ウェアラブルデバイス１０の使用サイクルを制御（一例として、少なくともウェアラブルデバイス１０が消毒されるまで、当該ウェアラブルデバイスの使用サイクルを中断）する。これにより、ウェアラブルデバイス１０を消毒しない場合に当該ウェアラブルデバイス１０の使用サイクルが正常に進まないので、ユーザは当該ウェアラブルデバイス１０を消毒するよう促される。よって、センサ１５が不衛生な状態で使用されるのを防止することができる。ウェアラブルデバイス１０は、少なくとも当該ウェアラブルデバイス１０の消毒が検出されるまで、センシング情報の管理装置への送信を抑止してもよい。これにより、ウェアラブルデバイス１０を消毒しない場合にユーザは検査／測定結果を確認できなくなるので、ユーザは当該ウェアラブルデバイス１０を消毒するよう促される。よって、センサ１５が不衛生な状態で使用されるのを防止することができる。
【０１１８】
ウェアラブルデバイス１０は、消毒装置７０から消毒終了信号を受信したことに応じて、当該ウェアラブルデバイス１０が消毒されたことを検出してもよい。これにより、ウェアラブルデバイス１０は、当該ウェアラブルデバイス１０が消毒されたことを容易に検出することができる。
【０１１９】
ウェアラブルデバイス１０は、ユーザの体内に挿入された状態で当該ユーザの経血を取集可能な容器ＶＥを備えていてもよい。これにより、ユーザの経血の流出を防止するとともに、当該経血に対する検査または測定を行うことができる。
【０１２０】
以上説明したように、管理装置としてのクライアント装置３０は、センサ１５によるセンシング結果に関するセンシング情報を取得し、当該センシング情報を参照して月経期間におけるユーザの体調に関する情報を出力する。クライアント装置３０は、ウェアラブルデバイス１０の消毒状況情報を取得し、当該消毒状況情報を参照して当該ウェアラブルデバイス１０の状態に関する情報を出力する。これにより、ユーザは、ウェアラブルデバイス１０の状態を容易に把握でき、使用済みのウェアラブルデバイス１０を消毒するよう促される。よって、センサ１５が不衛生な状態で使用されるのを防止することができる。
【０１２１】
クライアント装置３０は、消毒状況情報を参照してウェアラブルデバイス１０の最新の消毒日時を特定し、当該消毒日時が所定のリマインド実施条件を満たすか否かを判定してもよい。クライアント装置３０は、最新の消毒日時がリマインド実施条件を満たすと判定したことに応じて、通知を行ってよい。これにより、消毒状況の不適切なウェアラブルデバイス１０について通知がなされるので、ユーザに使用済みのウェアラブルデバイス１０を消毒するよう促すことができる。リマインド実施条件は、月経期間における基準日から最新の消毒日時までの経過時間が閾値以上であること、であってもよい。これにより、基準日後に未消毒であるウェアラブルデバイス１０について通知を行うことができる。クライアント装置３０は、最新の消毒日時がリマインド実施条件を満たすと判定したことに応じて、ウェアラブルデバイス１０の消毒を促す通知を行ってもよい。これにより、ユーザに使用済みのウェアラブルデバイス１０の消毒を強く促すことができる。
【０１２２】
以上説明したように、消毒装置７０は、ウェアラブルデバイス１０を消毒機構７５により消毒し、当該ウェアラブルデバイス１０の消毒終了後に、消毒終了信号を外部装置（例えば、ウェアラブルデバイス１０、または管理装置）へ送信する。これにより、外部装置は、ウェアラブルデバイス１０が消毒されたことを容易に検出することができる。
【０１２３】
（６）変形例
本実施形態の変形例について説明する。
【０１２４】
（６−１）変形例１
変形例１について説明する。変形例１は、ウェアラブルデバイス１０の消毒が検出されるまで、センサ１５による新たなセンシングの実行を抑止する例である。
【０１２５】
（６−１−１）変形例１の概要
変形例１の概要について説明する。図１８は、変形例１の概要の説明図である。
【０１２６】
ウェアラブルデバイス１０は、繰り返し使用することができる。具体的には、図１８に示すように、フェーズＰＨ２１〜フェーズＰＨ２５を含む使用サイクルが繰り返される。
【０１２７】
まず、ウェアラブルデバイス１０は、ユーザの身体に装着される（フェーズＰＨ２１）。
フェーズＰＨ２１の後に、ウェアラブルデバイス１０に搭載されたセンサ１５は、ｎ回に亘ってセンシング（ＰＨ２２−１，・・・，ＰＨ２２−ｎ）およびセンシング情報の送信（ＰＨ２３−１，・・・，ＰＨ２３−ｎ）を交互に実行する。ｎは、１であってもよいし、２以上であってもよい。また、センシング情報の送信の実行回数は、センシングの実行回数よりも小さく設定されてもよい。
フェーズＰＨ２３−ｎの後に、ウェアラブルデバイス１０は、ユーザの身体から取り外される（フェーズＰＨ２４）。
フェーズＰＨ２４の後に、ウェアラブルデバイス１０は消毒され、ウェアラブルデバイス１０は消毒されたことを検出する（フェーズＰＨ２５）。
【０１２８】
ウェアラブルデバイス１０は、１回目の使用サイクルの後に、２回目の使用サイクルに進むことができる。ただし、２回目の使用サイクルにおけるフェーズＰＨ２２−１の実行は、１回目の使用サイクルのフェーズＰＨ２５の実行状態に応じて制約される。具体的には、ウェアラブルデバイス１０の消毒が検出されるまで、センサ１５による新たなセンシングの実行（つまり、次の使用サイクルにおけるフェーズＰＨ２２−１の実行）が抑止される。
【０１２９】
このように、ウェアラブルデバイス１０によれば、ユーザは当該ウェアラブルデバイス１０の使用後に消毒を行わない限り、ウェアラブルデバイス１０を再使用することができない。故に、ユーザは、ウェアラブルデバイス１０を使用後に消毒するよう促されるので、使用したウェアラブルデバイス１０を良好な衛生状態で再使用できる。
【０１３０】
（６−１−２）センシング関連処理
変形例１のセンシング関連処理について説明する。図１９は、変形例１のセンシング関連処理のフローチャートである。
【０１３１】
センシング関連処理は、ウェアラブルデバイス１０、および管理装置としてのクライアント装置３０によって実行される。センシング関連処理は、以下の開始条件のいずれかの成立に応じて開始する。
・ウェアラブルデバイス１０が所定の状態（例えば、電源投入、またはユーザの身体に装着）になった。
・ユーザがセンシング関連処理を呼び出すための操作を行った。
・他の処理によってセンシング関連処理が呼び出された。
・所定の日時が到来した。
【０１３２】
図１９に示すように、ウェアラブルデバイス１０は、図１０と同様に、センシング（Ｓ１１０）を実行する。
【０１３３】
ステップＳ１１０の後に、ウェアラブルデバイス１０は、センシング情報の送信（Ｓ１２０）を実行する。
具体的には、プロセッサ１２は、ステップＳ１１０において取得したセンシング結果に基づいてセンシング情報を生成する。センシング情報は、ステップＳ１１０の実行の度に生成され、記憶装置１１に保存されていてもよい。プロセッサ１２は、通信インタフェース１４に、センシング情報をクライアント装置３０へ送信させる。ステップＳ１２０の実行回数は、ステップＳ１１０の実行回数に比べて少なくてもよい。この場合に、ステップＳ１１０の実行後に、ステップＳ１２０の実行がスキップされることがある。
【０１３４】
ステップＳ１２０の後に、クライアント装置３０は、図１０と同様に、センシング情報の取得（Ｓ３１１）、およびセンシング情報の保存（Ｓ３１２）を実行する。
【０１３５】
ステップＳ１２０の後に、ウェアラブルデバイス１０は、図１０と同様に、使用終了判定（Ｓ１１１）を実行する。
【０１３６】
ステップＳ１１１においてウェアラブルデバイス１０の使用が終了していないと判定した場合に、ウェアラブルデバイス１０は、図１０と同様に、センシング（Ｓ１１０）を再度実行する。
【０１３７】
ステップＳ１１１においてウェアラブルデバイス１０の使用が終了したと判定した場合に、ウェアラブルデバイス１０は、図１０と同様に、消毒状態の監視（Ｓ１１２）、および消毒判定（Ｓ１１３）を実行する。
【０１３８】
ステップＳ１１３において、ウェアラブルデバイス１０が消毒されていないと判定した場合に、ウェアラブルデバイス１０は消毒状態の監視（Ｓ１１２）を再度実行する。
ステップＳ１１２〜ステップＳ１１３のループにより、ウェアラブルデバイス１０の消毒が検出されるまで、センサ１５による新たなセンシングの実行（つまり、次の使用サイクルにおけるステップＳ１１０の実行）を抑止することができる。
【０１３９】
ステップＳ１２０において、ウェアラブルデバイス１０が消毒されたと判定した場合に、ウェアラブルデバイス１０は、センシング関連処理を終了する。ここで、ウェアラブルデバイス１０は、当該ウェアラブルデバイス１０の消毒状況情報（例えば、消毒日時情報）をクライアント装置３０へ送信してもよい。
【０１４０】
（６−１−３）小括
以上説明したように、ウェアラブルデバイス１０は、当該ウェアラブルデバイス１０の使用終了から少なくとも当該ウェアラブルデバイス１０の消毒が検出されるまで、センサ１５による新たなセンシングの実行を抑止する。これにより、ウェアラブルデバイス１０を消毒しない場合に当該ウェアラブルデバイス１０を再使用できなくなるので、ユーザは当該ウェアラブルデバイス１０を消毒するよう促され、センサ１５が不衛生な状態で使用されるのを防止することができる。
【０１４１】
（６−２）変形例２
変形例２について説明する。変形例２は、消毒装置７０がウェアラブルデバイス１０からセンシング情報を取得し、当該ウェアラブルデバイス１０が消毒されたことに応じて当該センシング情報を管理装置へ送信する例である。
【０１４２】
消毒装置７０は、ウェアラブルデバイス１０からセンシング情報を取得する。例えば、消毒装置７０は、以下の少なくとも１つのタイミングで、センシング情報をウェアラブルデバイス１０から取得する。
・ウェアラブルデバイス１０の使用中（所定回数のセンシングが実行される度、または所定周期毎）
・ウェアラブルデバイス１０の使用後、かつ消毒の実施前
・ウェアラブルデバイス１０の消毒の実施中
・ウェアラブルデバイス１０の消毒の実施後
【０１４３】
消毒装置７０は、ウェアラブルデバイス１０から取得したセンシング情報を、当該ウェアラブルデバイス１０が消毒されたことに応じて管理装置（例えば、クライアント装置３０）へ送信する。
【０１４４】
変形例２の消毒装置７０によれば、ウェアラブルデバイス１０は、当該ウェアラブルデバイス１０の消毒状態を監視したり、当該ウェアラブルデバイス１０の消毒状態に応じて、当該ウェアラブルデバイス１０の使用サイクルを制御したりする必要がない。つまり、ウェアラブルデバイス１０の処理を簡略化することができる。さらに、変形例２の消毒装置７０によれば、ウェアラブルデバイス１０を消毒しない場合にユーザは検査／測定結果を確認できなくなるので、ユーザは当該ウェアラブルデバイス１０を消毒するよう促される。よって、センサ１５が不衛生な状態で使用されるのを防止することができる。
【０１４５】
なお、変形例２の消毒装置７０は、消毒終了信号を送信する必要がない。
【０１４６】
（７）その他の変形例
記憶装置３１は、ネットワークＮＷを介して、クライアント装置３０と接続されてもよい。記憶装置５１は、ネットワークＮＷを介して、サーバ５０と接続されてもよい。
【０１４７】
上記の情報処理の各ステップは、ウェアラブルデバイス１０、クライアント装置３０、サーバ５０、および消毒装置７０の何れでも実行可能である。
上記説明では、各処理において各ステップを特定の順序で実行する例を示したが、各ステップの実行順序は、依存関係がない限りは説明した例に制限されない。
【０１４８】
上記説明では、消毒装置７０がウェアラブルデバイス１０と通信する例を示した。しかしながら、消毒装置７０は、クライアント装置３０、またはサーバ５０と通信してもよいし、通信機能を備えなくてもよい。
【０１４９】
本実施形態の説明では、ウェアラブルデバイス１０の消毒が検出されるまで、センシング情報のクライアント装置３０（つまり、管理装置）への送信を抑止する例を説明した。しかしながら、かかるセンシング情報の定常的な送信とは独立して、ユーザの異常が検知された場合の通知が行われてもよい。つまり、ウェアラブルデバイス１０は、センシング結果に基づいてユーザの異常を検知した場合に、通知（つまり、管理装置への情報送信）をウェアラブルデバイス１０の消毒状態に関わらず行ってよい。
【０１５０】
上記説明では、ウェアラブルデバイス１０の消毒が検出されるまでセンシング情報の送信、または新たなセンシングの実行を抑止する例を示した。しかしながら、これらの例に限られず、ウェアラブルデバイス１０は、当該ウェアラブルデバイス１０が消毒されるまで当該ウェアラブルデバイス１０の使用サイクルを中断する任意の制御を行ってよい。或いは、クライアント装置３０は、ウェアラブルデバイス１０から取得したセンシング情報の表示を、当該センシング情報の取得後に当該ウェアラブルデバイス１０が消毒されるまで抑止してもよい。
【０１５１】
上記説明では、ウェアラブルデバイス１０を管理する装置（管理装置）がクライアント装置３０である例を示した。しかしながら、管理装置は、サーバ５０、消毒装置７０、またはその他の外部装置であってもよい。
管理装置が消毒装置７０である場合に、当該消毒装置７０は、センシング情報をクライアント装置３０、またはサーバ５０へさらに送信してもよい。
【０１５２】
上記説明では、消毒装置７０がウェアラブルデバイス１０を消毒する例を示した。しかしながら、ウェアラブルデバイス１０の消毒は、ユーザ、または他の人間が物理的消毒、または化学的消毒を行うことで実現されてもよい。この場合に、ウェアラブルデバイス１０の消毒は、人間（例えば消毒の実施者）の操作により検出されてもよいし、ウェアラブルデバイス１０に備えられたセンサ（例えば、温度センサ、紫外線センサ、または化学センサ）による温度、紫外線、または消毒剤の分子のセンシング結果に基づいて検出されてもよい。
【０１５３】
上記説明では、ウェアラブルデバイス１０が、消毒終了信号の受信に応じて、当該ウェアラブルデバイス１０の消毒を検出する例を示した。しかしながら、ウェアラブルデバイス１０は、他の手段により当該ウェアラブルデバイス１０の消毒を検出してもよい。つまり、消毒装置７０は、消毒終了信号を送信しないように構成されてもよい。
第１例として、ウェアラブルデバイス１０は、当該ウェアラブルデバイス１０に関する温度情報（例えば温度センサによるセンシング情報）を取得し、当該温度情報について所定の条件（例えば、温度および持続時間の組み合わせ）が成立したことに応じて、当該ウェアラブルデバイス１０が消毒されたことを検出する。これにより、消毒装置７０の構成を簡素化することができる。また、消毒装置７０によらずにウェアラブルデバイス１０を消毒した場合であっても、当該ウェアラブルデバイス１０が消毒されたことを検出できる。
第２例として、ウェアラブルデバイス１０は、ユーザの指示を受け付け可能に構成され、かつユーザから所定の指示（例えば、画面に表示された消毒終了ボタンの選択）を受け付けたことに応じて、当該ウェアラブルデバイス１０が消毒されたことを検出する。これにより、消毒装置７０の構成を簡素化することができる。また、消毒装置７０によらずにウェアラブルデバイス１０を消毒した場合であっても、当該ウェアラブルデバイス１０が消毒されたことを検出できる。
【０１５４】
上記説明では、ウェアラブルデバイス１０の消毒が検出されることを条件に、センシング情報の送信、または新たなセンシングの実行が可能となる例を示した。しかしながら、管理装置（例えばクライアント装置３０）による許可を条件に、ウェアラブルデバイス１０の使用サイクルが再開されてもよい。
第１例として、ウェアラブルデバイス１０は、センシング情報の送信が許可されるまでセンシング情報の管理装置への送信を抑止する。ウェアラブルデバイス１０、または消毒装置７０は、当該ウェアラブルデバイス１０の消毒が検出されたことを管理装置に通知する。管理装置は、ウェアラブルデバイス１０の消毒が検出されたことを通知されると、当該ウェアラブルデバイス１０のセンシング情報の送信を許可する。これにより、各ウェアラブルデバイス１０の使用サイクルを管理装置において集中制御することができる。
第２例として、ウェアラブルデバイス１０は、センシングの実行が許可されるまでセンサ１５による新たなセンシングの実行を抑止する。ウェアラブルデバイス１０、または消毒装置７０は、当該ウェアラブルデバイス１０の消毒が検出されたことを管理装置に通知する。管理装置は、ウェアラブルデバイス１０の消毒が検出されたことを通知されると、センサ１５による新たなセンシングの実行を許可する。これにより、各ウェアラブルデバイス１０の使用サイクルを管理装置において集中制御することができる。
さらに、管理装置が、ウェアラブルデバイス１０の消毒の検出に応じて、当該ウェアラブルデバイス１０に、センシング情報の送信、または新たなセンシングの実行を許可してもよい。具体的には、管理装置は、消毒終了信号の受信によりウェアラブルデバイス１０の消毒を検出してもよいし、消毒の終了を申告するためのユーザ指示（例えばアプリ操作）に応じてウェアラブルデバイス１０の消毒を検出してもよい。これにより、ウェアラブルデバイス１０によって実行される処理を簡略化することができる。この場合に、消毒装置７０は、管理装置に接続可能に構成される。消毒装置７０は、消毒対象デバイスを識別し、当該消毒対象デバイスを識別する情報を含む消毒終了信号を関連付けられる管理装置へ送信してもよい。これにより、管理装置は、どのウェアラブルデバイス１０が消毒されたかを容易に検出することができる。
【０１５５】
ウェアラブルデバイス１０は、ステップＳ１１２〜ステップＳ１１３（図１０または図１９）のループを所定時間以上に亘って繰り返した場合に、当該ウェアラブルデバイス１０が使用後に消毒されていないことを管理装置に通知してもよい。管理装置は、かかる通知に応じて、例えば画面Ｐ１４（図１７）をディスプレイ３５に表示させてもよい。
【０１５６】
クライアント装置３０は、所定の新調案内条件が成立する場合に、ユーザにウェアラブルデバイス１０の新調を促す通知を行ってもよい。ユーザは、ウェアラブルデバイス１０が劣化または故障する前に新しいウェアラブルデバイス１０を調達することで、誤った検査または測定が行われたり、検査または測定が中断されたりすることを防止できる。新調案内条件は、以下の少なくとも１つを含むことができる。
・最も古い消毒日時からの経過時間が閾値を超えた
・累計消毒回数が閾値を超えた
・最も古い使用日時からの経過時間が閾値を超えた
・累計使用回数が閾値を超えた
【０１５７】
以上、本発明の実施形態について詳細に説明したが、本発明の範囲は上記の実施形態に限定されない。また、上記の実施形態は、本発明の主旨を逸脱しない範囲において、種々の改良や変更が可能である。また、上記の実施形態及び変形例は、組合せ可能である。
【符号の説明】
【０１５８】
１            ：情報処理システム
１０          ：ウェアラブルデバイス
１１          ：記憶装置
１２          ：プロセッサ
１３          ：入出力インタフェース
１４          ：通信インタフェース
１５          ：センサ
２２−１      ：フェーズ
３０          ：クライアント装置
３１          ：記憶装置
３２          ：プロセッサ
３３          ：入出力インタフェース
３４          ：通信インタフェース
３５          ：ディスプレイ
５０          ：サーバ
５１          ：記憶装置
５２          ：プロセッサ
５３          ：入出力インタフェース
５４          ：通信インタフェース
７０          ：消毒装置
７１          ：記憶装置
７２          ：プロセッサ
７３          ：入出力インタフェース
７４          ：通信インタフェース
７５          ：消毒機構
【要約】
【課題】センサが不衛生な状態で使用されるのを防止する。
【解決手段】本開示の一態様によれば、ウェアラブルデバイスは、ユーザの月経期間内にユーザの身体に装着される。ウェアラブルデバイスは、センシングを行うセンサと、センサによるセンシング結果に関するセンシング情報を管理装置へ送信する手段と、ウェアラブルデバイスの使用終了後に、当該ウェアラブルデバイスの消毒状態を監視する手段と、ウェアラブルデバイスの消毒状態に応じて、ウェアラブルデバイスの使用サイクルを制御する手段とを備える。
【選択図】図６【図１】
0006976533.tif 000002
【図２】
0006976533.tif 000003
【図３】
0006976533.tif 000004
【図４】
0006976533.tif 000005
【図５】
0006976533.tif 000006
【図６】
0006976533.tif 000007
【図７】
0006976533.tif 000008
【図８】
0006976533.tif 000009
【図９】
0006976533.tif 000010
【図１０】
0006976533.tif 000011
【図１１】
0006976533.tif 000012
【図１２】
0006976533.tif 000013
【図１３】
0006976533.tif 000014
【図１４】
0006976533.tif 000015
【図１５】
0006976533.tif 000016
【図１６】
0006976533.tif 000017
【図１７】
0006976533.tif 000018
【図１８】
0006976533.tif 000019
【図１９】
0006976533.tif 000020